(57)【要約】【課題】低い駆動周波数で駆動されるようにした画素及びこれを用いた有機電界発光表示装置を提供する。【解決手段】本発明の画素及びこれを用いた有機電界発光表示装置によれば、画素が発光されるとともにデータ信号を充電することができ、これにより、低駆動周波数で駆動されつつ、３Ｄ映像を具現することができ、データ信号が供給される前に画素各々に含まれる駆動トランジスタをオンバイアス状態に初期化し、それによって均一な映像を表示する。【選択図】  図２
2018173646.tif 000002
【特許請求の範囲】
【請求項１】
有機発光ダイオードと、
以前データ信号に対応して第１電源から前記有機発光ダイオードに供給される電流量を制御する第１トランジスタを含む第２駆動部と、
データ線から供給される現在データ信号を保存し、前記以前データ信号を前記第２駆動部に供給するための第１駆動部と、を備え、
前記第１駆動部は、前記データ線と第３ノードとの間に接続され、走査線に走査信号が供給されるときターンオンされる第２トランジスタと、
前記第３ノードと前記第２ノードとの間に接続され、第２制御信号が供給されるときターンオンされる第３トランジスタと、
前記第３ノードと前記初期化電源との間に接続される第２キャパシタと、を備え、
前記第２駆動部は、初期化電源と前記第１トランジスタのゲート電極である第１ノードとの間に接続され、第１制御信号が供給されるときターンオンされる第６トランジスタと、
前記第１電源と前記第１駆動部及び第２駆動部に共通に接続された第２ノードとの間に接続され、前記第１制御信号が供給されるときターンオンされる第７トランジスタと、
前記第１トランジスタの第１電極に接続された前記第２ノードと前記第１電源との間に  接続され、発光制御信号が供給されるときターンオフされ、その他の場合にターンオンされる第８トランジスタと、
前記第１ノードと前記第１トランジスタの第２電極との間に接続され、第２制御信号が供給されるときターンオンされる第５トランジスタと、
前記第１トランジスタの第２電極と前記有機発光ダイオードのアノード電極との間に接続され、前記発光制御信号が供給されるときターンオフされ、その他の場合にターンオンされる第９トランジスタと、
前記有機発光ダイオードのアノード電極と前記初期化電源との間に接続される第４トランジスタと、
前記第１ノードと前記第１電源との間に接続される第１キャパシタを形成して、
前記初期化電源は、前記データ線に供給されるデータ信号より低い電圧に設定され、
前記第３トランジスタと第６トランジスタは、ターンオン期間が重畳しなく、
前記第２トランジスタは、前記第３トランジスタ及び第６トランジスタとターンオン期間が重畳しなく、
前記第８トランジスタは、前記第５トランジスタ及び第６トランジスタとターンオン期間が重畳しなく、
前記第５トランジスタと第６トランジスタは、ターンオン期間が重畳しないことを特徴とする画素。
【請求項２】
前記第４トランジスタは、前記第１制御信号が供給されるときターンオンされることを特徴とする請求項１に記載の画素。
【請求項３】
前記第４トランジスタは、前記第２制御信号が供給されるときターンオンされることを特徴とする請求項１に記載の画素。
【請求項４】
有機発光ダイオードと、
以前データ信号に対応して第１電源から前記有機発光ダイオードに供給される電流量を制御する第１トランジスタとを含む第２駆動部と、
データ線から供給される現在データ信号を保存し、前記以前データ信号を前記第２駆動部に供給するための第１駆動部を備え、
前記第１駆動部は、前記データ線と第３ノードとの間に接続され、走査線に走査信号が供給されるときターンオンされる第２トランジスタと、
前記第３ノードと前記第２ノードとの間に接続され、第２制御信号が供給されるときターンオンされる第３トランジスタと、
前記第３ノードと前記初期化電源との間に接続される第２キャパシタと、を備え、
前記第２駆動部は、初期化電源と前記第１トランジスタのゲート電極である第１ノードとの間に接続され、第１制御信号が供給されるときターンオンされる第６トランジスタと、
前記第１電源と前記第１駆動部及び第２駆動部に共通に接続された第２ノードとの間に接続され、前記第１制御信号が供給されるときターンオンされる第７トランジスタと、
前記第１トランジスタの第１電極と接続された前記第２ノードと前記第１電源との間に接続され、発光制御信号が供給されるときターンオフされ、その他の場合にターンオンされる第８トランジスタと、
前記第１ノードと前記第１トランジスタの第２電極との間に接続され、第２制御信号が供給されるときターンオンされる第５トランジスタと、
前記第１トランジスタの第２電極と前記有機発光ダイオードのアノード電極との間に接続され、前記発光制御信号が供給されるときターンオフされ、その他の場合にターンオンされる第９トランジスタと、
前記有機発光ダイオードのアノード電極と前記第２制御信号が供給される第２制御線との間に位置され、ゲート電極が前記第２制御線に接続される第４トランジスタと、
前記第１ノードと前記第１電源との間に接続される第１キャパシタと、を備え、
前記初期化電源は、前記データ線に供給されるデータ信号より低い電圧に設定され、
前記第３トランジスタと第６トランジスタは、ターンオン期間が重畳しなく、
前記第２トランジスタは、前記第３トランジスタ及び第６トランジスタとターンオン期間が重畳しなく、
前記第８トランジスタは、前記第５トランジスタ及び第６トランジスタとターンオン期間が重畳しなく、
前記第５トランジスタと第６トランジスタは、ターンオン期間が重畳しないことを特徴とする画素。
【請求項５】
前記第２駆動部は、前記第１ノードと前記第１電源との間に前記第１キャパシタと並列に接続されるフォトダイオードをさらに備えることを特徴とする請求項１又は４に記載の画素。
【請求項６】
前記フォトダイオードは、前記有機発光ダイオードの輝度に対応して前記第１ノードの電圧上昇幅を制御することを特徴とする請求項５に記載の画素。
【請求項７】
前記フォトダイオードは、前記有機発光ダイオードの輝度に比例して前記第１ノードの電圧上昇幅を制御することを特徴とする請求項５に記載の画素。
【請求項８】
前記第２駆動部は、前記有機発光ダイオードのアノード電極と前記第２ノードとの間に接続される第３キャパシタをさらに備えることを特徴とする請求項１又は４に記載の画素。
【請求項９】
１フレームの第１期間中に第１制御線に第１制御信号を供給し、前記１フレームの第２期間中に第２制御線に第２制御信号を供給するための制御駆動部と、
前記１フレームの前記第１期間、前記第２期間、及び第３期間中に発光制御線に発光制御信号を供給し、第４期間中に走査線に走査信号を順次供給するための走査駆動部と、
前記第４期間中にデータ線に前記走査信号に同期されるようにデータ信号を供給するためのデータ駆動部と、
前記走査線およびデータ線によって区画された領域に位置され、以前データ信号に対応して発光する期間中に、現在データ信号を保存する画素を形成し、
前記画素は、請求項１乃至８の何れか１項に記載の画素であることを特徴とする有機電界発光表示装置。
【請求項１０】
前記以前データ信号は、以前フレームに供給されたデータ信号であって、
前記現在データ信号は、現在フレームに供給されるデータ信号であることを特徴とする請求項９に記載の有機電界発光表示装置。
【請求項１１】
前記走査駆動部は、前記第３期間中に走査線に走査信号を同時に供給することを特徴とする請求項９に記載の有機電界発光表示装置。
【請求項１２】
前記データ駆動部は、前記第３期間中に前記データ線にリセット電圧を供給することを特徴とする請求項１１に記載の有機電界発光表示装置。
【請求項１３】
前記リセット電圧は、前記データ信号の電圧範囲内の特定電圧に設定されることを特徴とする請求項１２に記載の有機電界発光表示装置。
【請求項１４】
前記画素の各々は、以前データ信号に対応して第１電源から有機発光ダイオードを経由して第２電源に流れる電流量を制御することを特徴とする請求項９に記載の有機電界発光表示装置。
【請求項１５】
前記第１電源は、前記第４期間中に第１電源に設定され、前記第１期間ないし第３期間中に前記第１電圧と異なる第２電圧に設定されることを特徴とする請求項１４に記載の有機電界発光表示装置。
【請求項１６】
前記第２電圧は、前記第１電圧より低い電圧であることを特徴とする請求項１５に記載の有機電界発光表示装置。
【発明の詳細な説明】
【技術分野】
【０００１】
本発明は、画素およびこれを用いた有機電界発光表示装置に関し、特に、低駆動周波数で駆動するようにした画素及びこれを用いた有機電界発光表示装置に関する。
【背景技術】
【０００２】
情報化技術が発達するにつれて、ユーザーと情報との間の連結媒体である表示装置の重要性が浮き彫りになっている。これに応じて、液晶表示装置（Ｌｉｑｕｉｄ  Ｃｒｙｓｔａｌ  Ｄｉｓｐｌａｙ  Ｄｅｖｉｃｅ：ＬＣＤ）、有機電界発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ：ＯＬＥＤ）、及びプラズマディスプレイパネル（Ｐｌａｓｍａ  Ｄｉｓｐｌａｙ  Ｐａｎｅｌ：ＰＤＰ）などのようなフラットパネル表示装置（Ｆｌａｔ  Ｐａｎｅｌ  Ｄｉｓｐｌａｙ：ＦＰＤ）の使用が増加している。
【０００３】
フラットパネル表示装置のうち、有機電界発光表示装置は、電子と正孔の再結合によって光を発生する有機発光ダイオードを利用して映像を表示するもので、これは、速い応答速度を有するとともに低消費電力で駆動されるという長所がある。
【０００４】
有機電界発光表示装置は、複数のデータ線、走査線、電源線の交差部にマトリックス形態で配列される複数の画素を備える。画素らは、一般的に、有機発光ダイオード、駆動トランジスタを含む二つ以上のトランジスタ、及び一つ以上のキャパシタで構成される。
【０００５】
このような有機電界発光表示装置は、３Ｄ映像を具現するために１６．６ｍｓ期間中、４つのフレームを含む。４つのフレームのうち、第１フレームは左側の映像を表示し、第３フレームは、右側映像を表示する。そして、第２フレーム及び第４フレームはブラックの映像を表示する。
【０００６】
シャッターメガネは、第１フレーム期間中、左側メガネに光の供給を受け、第３フレーム期間中に右側メガネに光の供給を受ける。この時、シャッターメガネの着用者はシャッターメガネを介して供給される映像を３Ｄとして認識する。第２フレーム及び第４フレーム期間に表示されるブラック映像は、左右の映像が混在してクロストーク（Ｃｒｏｓｓ  Ｔａｌｋ）現象が発生することを防止する。
【０００７】
しかしながら、従来には、１６．６ｍｓの期間中、４つのフレームが含まれ、これにより２４０Ｈｚの駆動周波数で駆動されなければならないという問題があった。このように、有機電界発光表示装置が高い周波数で駆動される場合、消費電力の上昇、安定性の低下、製造コストの上昇などの問題が起きる。また、第２フレーム及び第４フレーム期間中にブラックが表示されるため、階調表現のためのピーク電流量（Ｐｅａｋ  Ｃｕｒｒｅｎｔ）が増加され、これにより、有機発光ダイオードの寿命が低下するという問題があった。
【発明の概要】
【発明が解決しようとする課題】
【０００８】
したがって、本発明は上記問題を解決するために案出されたもので、その目的は、低い駆動周波数で駆動されるようにした画素及びこれを用いた有機電界発光表示装置を提供することである。
【０００９】
さらに、本発明の別の目的は、有機発光ダイオードの劣化を補償し、表示品質を向上させられる有機電界発光表示装置を提供することである。
【課題を解決するための手段】
【００１０】
上記目的を達成するために本発明による画素は、有機発光ダイオードと、以前データ信号に対応して第１電源から前記有機発光ダイオードに供給される電流量を制御する第１トランジスタを含む第２駆動部と、データ線から供給される現在データ信号を保存し、前記以前データ信号を前記第２駆動部に供給するための第１駆動部と、を備え、前記第１駆動部は、前記データ線と第３ノードとの間に接続され、走査線に走査信号が供給されるときターンオンされる第２トランジスタと、前記第３ノードと前記第２ノードとの間に接続され、第２制御信号が供給されるときターンオンされる第３トランジスタと、前記第３ノードと前記初期化電源との間に接続される第２キャパシタと、を備え、前記第２駆動部は、初期化電源と前記第１トランジスタのゲート電極である第１ノードとの間に接続され、第１制御信号が供給されるときターンオンされる第６トランジスタと、前記第１電源と前記第１駆動部及び第２駆動部に共通に接続された第２ノードとの間に接続され、前記第１制御信号が供給されるときターンオンされる第７トランジスタと、前記第１トランジスタの第１電極に接続された前記第２ノードと前記第１電源との間に接続され、発光制御信号が供給されるときターンオフされ、その他の場合にターンオンされる第８トランジスタと、前記第１ノードと前記第１トランジスタの第２電極との間に接続され、第２制御信号が供給されるときターンオンされる第５トランジスタと、前記第１トランジスタの第２電極と前記有機発光ダイオードのアノード電極との間に接続され、前記発光制御信号が供給されるときターンオフされ、その他の場合にターンオンされる第９トランジスタと、前記有機発光ダイオードのアノード電極と前記初期化電源との間に接続される第４トランジスタと、前記第１ノードと前記第１電源との間に接続される第１キャパシタを形成して、前記初期化電源は、前記データ線に供給されるデータ信号より低い電圧に設定され、前記第３トランジスタと第６トランジスタは、ターンオン期間が重畳しなく、前記第２トランジスタは、前記第３トランジスタ及び第６トランジスタとターンオン期間が重畳しなく、前記第８トランジスタは、前記第５トランジスタ及び第６トランジスタとターンオン期間が重畳しなく、前記第５トランジスタと第６トランジスタは、ターンオン期間が重畳しないことを特徴とする。
【００１１】
前記第４トランジスタは、前記第１制御信号が供給されるときターンオンされる。
【００１２】
前記第４トランジスタは、前記第２制御信号が供給されるときターンオンされる。
【００１３】
また、上記目的を達成するために本発明による画素は、有機発光ダイオードと、以前データ信号に対応して第１電源から前記有機発光ダイオードに供給される電流量を制御する第１トランジスタとを含む第２駆動部と、データ線から供給される現在データ信号を保存し、前記以前データ信号を前記第２駆動部に供給するための第１駆動部を備え、前記第１駆動部は、前記データ線と第３ノードとの間に接続され、走査線に走査信号が供給されるときターンオンされる第２トランジスタと、前記第３ノードと前記第２ノードとの間に接続され、第２制御信号が供給されるときターンオンされる第３トランジスタと、前記第３ノードと前記初期化電源との間に接続される第２キャパシタと、を備え、前記第２駆動部は、初期化電源と前記第１トランジスタのゲート電極である第１ノードとの間に接続され、第１制御信号が供給されるときターンオンされる第６トランジスタと、前記第１電源と前記第１駆動部及び第２駆動部に共通に接続された第２ノードとの間に接続され、前記第１制御信号が供給されるときターンオンされる第７トランジスタと、前記第１トランジスタの第１電極と接続された前記第２ノードと前記第１電源との間に接続され、発光制御信号が供給されるときターンオフされ、その他の場合にターンオンされる第８トランジスタと、前記第１ノードと前記第１トランジスタの第２電極との間に接続され、第２制御信号が供給されるときターンオンされる第５トランジスタと、前記第１トランジスタの第２電極と前記有機発光ダイオードのアノード電極との間に接続され、前記発光制御信号が供給されるときターンオフされ、その他の場合にターンオンされる第９トランジスタと、前記有機発光ダイオードのアノード電極と前記第２制御信号が供給される第２制御線との間に位置され、ゲート電極が前記第２制御線に接続される第４トランジスタと、前記第１ノードと前記第１電源との間に接続される第１キャパシタと、を備え、前記初期化電源は、前記データ線に供給されるデータ信号より低い電圧に設定され、前記第３トランジスタと第６トランジスタは、ターンオン期間が重畳しなく、前記第２トランジスタは、前記第３トランジスタ及び第６トランジスタとターンオン期間が重畳しなく、前記第８トランジスタは、前記第５トランジスタ及び第６トランジスタとターンオン期間が重畳しなく、前記第５トランジスタと第６トランジスタは、ターンオン期間が重畳しないことを特徴とする。
【００１４】
また、前記第２駆動部は、前記第１ノードと前記第１電源との間に前記第１キャパシタと並列に接続されるフォトダイオードをさらに備える。
【００１５】
また、前記フォトダイオードは、前記有機発光ダイオードの輝度に対応して前記第１ノードの電圧上昇幅を制御する。
【００１６】
また、前記フォトダイオードは、前記有機発光ダイオードの輝度に比例して前記第１ノードの電圧上昇幅を制御する。
【００１７】
また、前記第２駆動部は、前記有機発光ダイオードのアノード電極と前記第２ノードとの間に接続される第３キャパシタをさらに備える。
【００１８】
さらに、本発明の実施態様による有機電界発光表示装置は、１フレームの第１期間中に第１制御線に第１制御信号を供給し、前記１フレームの第２期間中に第２制御線に第２制御信号を供給するための制御駆動部と、前記１フレームの前記第１期間、前記第２期間、及び第３期間中に発光制御線に発光制御信号を供給し、第４期間中に走査線に走査信号を順次供給するための走査駆動部と、前記第４期間中にデータ線に前記走査信号に同期されるようにデータ信号を供給するためのデータ駆動部と、前記走査線およびデータ線によって区画された領域に位置され、以前データ信号に対応して発光する期間中に、現在データ信号を保存する画素を形成し、前記画素は、上記本発明の画素であることを特徴とする。
【００１９】
また、前記以前データ信号は、以前フレームに供給されたデータ信号であり、前記現在データ信号は、現在フレームに供給されるデータ信号である。
【００２０】
また、前記走査駆動部は、前記第３期間中に走査線に走査信号を同時に供給する。
【００２１】
また、前記データ駆動部は、前記第３期間中に前記データ線にリセット電圧を供給する。
【００２２】
また、前記リセット電圧は、前記データ信号の電圧範囲内の特定電圧に設定される。
【００２３】
また、前記画素の各々は、以前データ信号に対応して第１電源から有機発光ダイオードを経由して第２電源に流れる電流量を制御する。
【００２４】
また、前記第１電源は、前記第４期間中に第１電圧に設定され、前記第１期間ないし第３期間中に前記第１電圧と異なる第２電圧に設定される。
【００２５】
また、前記第２電圧は、前記第１電圧より低い電圧である。
【発明の効果】
【００２６】
本発明の実施態様による画素及びこれを用いた有機電界発光表示装置によれば、画素が発光されるとともにデータ信号を充電することができ、これにより、低駆動周波数で駆動されつつ、３Ｄ映像を具現することができる。また、本発明によれば、データ信号が供給される前に画素各々に含まれる駆動トランジスタをオンバイアス状態に初期化し、それによって均一な映像を表示することができる。
【００２７】
さらに、本発明によれば、有機発光ダイオードの劣化に対応して駆動トランジスタのゲート電極の電圧を制御し、それによって所望の輝度の映像を表示することができるという長所がある。
【図面の簡単な説明】
【００２８】
【図１】本発明の実施形態による有機電界発光表示装置を示す図である。
【図２】本発明の第１実施形態による画素を示す図である。
【図３】本発明の実施形態による駆動方法を示す波形図である。
【図４】本発明の別の実施形態による駆動方法を示す波形図である。
【図５】本発明のさらに別の実施形態による駆動方法を示す波形図である。
【図６】３Ｄ駆動時の駆動周波数の実施形態を示す図である。
【図７】本発明の第２実施形態による画素を示す図である。
【図８】本発明の第３実施形態による画素を示す図である。
【図９】有機発光ダイオードの劣化に対応した第１ノードの電圧上昇幅を示すグラフである。
【図１０】本発明の第４実施形態による画素を示す図である。
【図１１】本発明の第５実施形態による画素を示す図である。
【図１２】本発明の第６実施形態による画素を示す図である。
【発明を実施するための形態】
【００２９】
以下、本発明の属する技術分野における通常の知識を有する者が本発明を容易に実施することができる好適な実施形態について添付された図１〜図１２を参照して詳細に説明する。
【００３０】
図１は、本発明の実施形態による有機電界発光表示装置を示す図である。図１を参照すると、本発明の実施形態による有機電界発光表示装置は、走査線Ｓ１ないしＳｎとデータ線Ｄ１ないしＤｍによって区画された領域に配置される画素１４２と、画素１４２を含む画素部１４０と、走査線Ｓ１ないしＳｎおよび発光制御線Ｅを駆動するための走査駆動部１１０と、第１制御線ＣＬ１と第２制御線ＣＬ２を駆動するための制御駆動部１２０と、データ線Ｄ１ないしＤｍを駆動するためのデータ駆動部１３０と、走査駆動部１１０、制御駆動部１２０およびデータ駆動部１３０を制御するためのタイミング制御部１５０と、を備える。
【００３１】
走査駆動部１１０は、走査線Ｓ１ないしＳｎに走査信号を供給する。例えば、走査駆動部１１０は、図３に示したように、フレーム１Ｆの第４期間Ｔ４中に走査線Ｓ１ないしＳｎに走査信号を順次供給する。また、走査駆動部１１０は、図４に示したように、１フレーム１Ｆの第３期間Ｔ３中に走査線Ｓ１ないしＳｎに走査信号を同時に供給することができる。
【００３２】
走査駆動部１１０は、画素１４２に共通接続された発光制御線Ｅに発光制御信号を供給する。例えば、走査駆動部１１０は、１フレーム１Ｆ期間中に第４期間Ｔ４を除いた残りの期間（Ｔ１、Ｔ２、Ｔ３）の間に発光制御線Ｅに発光制御信号を供給する。ここで、走査駆動部１１０から供給される走査信号は、画素１４２に含まれたトランジスタがターンオンされる電圧（例えば、低電圧）に設定され、発光制御信号は、トランジスタがターンオフされる電圧（例えば、高電圧）に設定される。
【００３３】
制御駆動部１２０は、画素１４２に共通に接続される第１制御線ＣＬ１に第１制御信号を供給し、画素１４２に共通に接続される第２制御線ＣＬ２に第２制御信号を供給する。ここで、第１制御信号ＣＬ１及び第２制御信号ＣＬ２は、互いに重畳されない。一例として、制御駆動部１２０は、１フレーム１Ｆの第１期間Ｔ１中に第１制御線ＣＬ１に第１制御信号を供給し、第２期間Ｔ２中に第２制御線ＣＬ２に第２制御信号を供給する。ここで、第１制御信号及び第２制御信号は、トランジスタがターンオンされうる電圧（例えば、低電圧）に設定される。
【００３４】
データ駆動部１３０は、１フレーム１Ｆの第４期間Ｔ４中に走査線Ｓ１ないしＳｎに供給される走査信号に同期されるように、データ線Ｄ１ないしＤｍにデータ信号を供給する。ここで、データ駆動部１３０は、３Ｄ駆動のためにフレーム期間ごとに、左側データ信号及び右側データ信号を交番的に供給することができる。さらに、データ駆動部１３０は、１フレーム１Ｆの第３期間Ｔ３中にデータ線Ｄ１ないしＤｍにリセット電圧Ｖｒを供給することができる。ここで、リセット電圧Ｖｒは、データ信号の電圧範囲内の特定の電圧に設定することができる。
【００３５】
タイミング制御部１５０は、外部から供給される同期信号に対応して走査駆動部１１０、制御駆動部１２０及びデータ駆動部１３０を制御する。
【００３６】
画素部１４０は、走査線Ｓ１ないしＳｎ及びデータ線Ｄ１ないしＤｍによって区画された領域に位置される画素１４２を備える。画素１４２は、第４期間Ｔ４中に現在フレームのデータ信号（現在データ信号）を充電すると同時に、以前フレームのデータ信号（以前データ信号）に対応して発光する。そのために、画素１４２は、第４期間Ｔ４中に、以前データ信号に対応して第１電源ＥＬＶＤＤから有機発光ダイオードを経由して第２電源ＥＬＶＳＳに流れる電流量を制御する。
【００３７】
なお、図１では説明の便宜のために発光制御線Ｅが走査駆動部１１０に接続され、制御線ＣＬ１、ＣＬ２が制御駆動部１２０に接続されるものとして示したが、本発明はこれに限定されない。実際には、発光制御線Ｅおよび制御線ＣＬ１、ＣＬ２は、様々な駆動部に接続されることができる。一例として、発光制御線Ｅおよび制御線ＣＬ１、ＣＬ２それぞれは、走査駆動部１１０に共通に接続されることができる。
【００３８】
図２は、本発明の第１実施形態による画素を示す図である。図２では説明の便宜のために第ｍデータ線Ｄｍおよび第ｎ走査線Ｓｎに接続された画素を図示する。
【００３９】
図２を参照すると、本発明の実施形態による画素１４２は、有機発光ダイオードＯＬＥＤと、有機発光ダイオードＯＬＥＤに供給される電流量を制御するための画素回路１４４とを備える。
【００４０】
有機発光ダイオードＯＬＥＤのアノード電極は、画素回路１４４に接続され、カソード電極は、第２電源ＥＬＶＳＳに接続される。このような有機発光ダイオードＯＬＥＤは、画素回路１４４から供給される電流量に対応して所定輝度の光を生成する。一方、有機発光ダイオードＯＬＥＤで電流が流れるように、第２電源ＥＬＶＳＳは、第１電源ＥＬＶＤＤよりも低い電圧に設定される。
【００４１】
画素回路１４４は、現在データ信号を保存するための第１駆動部１４６と、以前データ信号に対応して有機発光ダイオードＯＬＥＤに供給される電流量を制御するための第２駆動部１４８を備える。
【００４２】
第１駆動部１４６は、データ線Ｄｍから供給される現在データ信号を保存すると同時に、以前フレームに保存されたデータ信号を第２駆動部１４８に供給する。このために、第１駆動部１４６は、第２トランジスタＭ２、第３トランジスタＭ３及び第２キャパシタＣ２を備える。
【００４３】
第２トランジスタＭ２の第１電極は、データ線Ｄｍに接続され、第２電極は、第３ノードＮ３に接続される。そして、第２トランジスタＭ２のゲート電極は、走査線Ｓｎに接続される。このような第２トランジスタＭ２は、走査線Ｓｎに走査信号が供給されるときターンオンされてデータ線Ｄｍからのデータ信号を第３ノードＮ３に供給する。
【００４４】
第３トランジスタＭ３の第１電極は、第３ノードＮ３に接続され、第２電極は、第２駆動部１４８、すなわち、第２ノードＮ２に接続される。そして、第３トランジスタＭ３のゲート電極は、第２制御線ＣＬ２に接続される。このような第３トランジスタＭ３は、第２制御線ＣＬ２に第２制御信号が供給されるときターンオンされ、第３ノードＮ３と第２ノードＮ２とを電気的に接続させる。
【００４５】
第２キャパシタＣ２は、第３ノードＮ３と固定電圧源（例えば、初期化電源Ｖｉｎｔ）との間に接続される。このような第２キャパシタＣ２は、第２トランジスタＭ２がターンオンされる期間中に、現在データ信号に対応する電圧を充電する。
【００４６】
第２駆動部１４８は、第１駆動部１４６から供給された以前データ信号に対応する電圧を充電し、充電された電圧に対応して第１電源ＥＬＶＤＤから有機発光ダイオードＯＬＥＤを経由して第２電源ＥＬＶＳＳに流れる電流量を制御する。このために、第２駆動部１４８は、第１トランジスタＭ１、第４トランジスタＭ４ないし第９トランジスタＭ９、第１キャパシタＣ１を備える。
【００４７】
第１トランジスタＭ１（すなわち、駆動トランジスタ）の第１電極は、第２ノードＮ２に接続され、第２電極は、第４ノードＮ４に接続される。そして、第１トランジスタＭ１のゲート電極は、第１ノードＮ１に接続される。このような第１トランジスタＭ１は、第１ノードＮ１に印加された電圧に対応して有機発光ダイオードＯＬＥＤに供給される電流量を制御する。
【００４８】
第４トランジスタＭ４の第１電極は、有機発光ダイオードＯＬＥＤのアノード電極に接続され、第２電極は初期化電源Ｖｉｎｔに接続される。そして、第４トランジスタＭ４のゲート電極は、第１制御線ＣＬ１に接続される。このような第４トランジスタＭ４は、第１制御線ＣＬ１に第１制御信号が供給されるときターンオンされ、有機発光ダイオードＯＬＥＤのアノード電極に初期化電源Ｖｉｎｔの電圧を供給する。ここで、初期化電源Ｖｉｎｔは、データ信号よりも低い電圧に設定される。一例として、初期化電源Ｖｉｎｔは、最も低い電圧のデータ信号の第１トランジスタＭ１の絶対値しきい値電圧を差し引いた電圧よりも低い電圧に設定することができる。
【００４９】
第５トランジスタＭ５の第１電極は、第４ノードＮ４に接続され、第２電極は第１ノードＮ１に接続される。そして、第５トランジスタＭ５のゲート電極は、第２制御線ＣＬ２に接続される。このような第５トランジスタＭ５は、第２制御線ＣＬ２に第２制御信号が供給されるときターンオンされ、第１ノードＮ１と第４ノードＮ４とを電気的に接続させる。第１ノードＮ１と第４ノードＮ４が電気的に接続されると第１トランジスタＭ１がダイオード形態で接続される。
【００５０】
第６トランジスタＭ６の第１電極は第１ノードＮ１に接続され、第２電極は初期化電源Ｖｉｎｔに接続される。そして、第６トランジスタＭ６のゲート電極は、第１制御線ＣＬ１に接続される。このような第６トランジスタＭ６は、第１制御線ＣＬ１に第１制御信号
が供給されるときターンオンされ、第１ノードＮ１に初期化電源Ｖｉｎｔの電圧を供給する。
【００５１】
第７トランジスタＭ７の第１電極は第１電源ＥＬＶＤＤに接続され、第２電極は、第２ノードＮ２に接続される。そして、第７トランジスタＭ７のゲート電極は、第１制御線ＣＬ１に接続される。このような第７トランジスタＭ７は、第１制御線ＣＬ１に第１制御信号が供給されるときターンオンされ、第２ノードＮ２に第１電源ＥＬＶＤＤの電圧を供給する。
【００５２】
第８トランジスタＭ８の第１電極は第１電源ＥＬＶＤＤに接続され、第２電極は、第２ノードＮ２に接続される。そして、第８トランジスタＭ８のゲート電極は発光制御線Ｅに接続される。このような第８トランジスタＭ８は、発光制御線Ｅに発光制御信号が供給されるときターンオフされ、発光制御信号が供給されないときターンオンされる。
【００５３】
第９トランジスタＭ９の第１電極は、第４ノードＮ４に接続され、第２電極は、有機発光ダイオードＯＬＥＤのアノード電極に接続される。そして、第９トランジスタＭ９のゲート電極は、発光制御線Ｅに接続される。このような第９トランジスタＭ９は、発光制御線Ｅに発光制御信号が供給されるときターンオフされ、発光制御信号が供給されないときターンオンされる。
【００５４】
第１キャパシタＣ１は、第１電源ＥＬＶＤＤと第１ノードＮ１との間に接続される。このような第１キャパシタＣ１は、以前データ信号及び第１トランジスタＭ１のしきい値電圧に対応する電圧を充電する。
【００５５】
図３は、本発明の実施形態による駆動方法を示す波形図である。図３を参照すると、本発明の実施形態による１フレーム期間は、第１期間Ｔ１ないし第４期間Ｔ４に分けられる。
【００５６】
まず、第１期間Ｔ１ないし第３期間Ｔ３中には発光制御信号が供給され、第４期間Ｔ４には発光制御信号が供給されない。発光制御信号が供給されると、第８トランジスタＭ８及び第９トランジスタＭ９がターンオフされる。第９トランジスタＭ９がターンオフされると、第１トランジスタＭ１と有機発光ダイオードＯＬＥＤの電気的接続が遮断され、これにより、第１期間Ｔ１ないし第３期間Ｔ３中に有機発光ダイオードＯＬＥＤは非発光状態に設定される。
【００５７】
第１期間Ｔ１中には第１制御線ＣＬ１に第１制御信号が供給される。第１制御線ＣＬ１に第１制御信号が供給されると、第４トランジスタＭ４、第６トランジスタＭ６および第７トランジスタＭ７がターンオンされる。
【００５８】
第４トランジスタＭ４がターンオンされると、有機発光ダイオードＯＬＥＤのアノード電極に初期化電源Ｖｉｎｔの電圧が供給される。有機発光ダイオードＯＬＥＤのアノード電極に初期化電源Ｖｉｎｔの電圧が供給されると、有機発光ダイオードＯＬＥＤに等価的に形成された寄生キャパシタ（図示せず）に充電された電圧が放電される。
【００５９】
第６トランジスタＭ６がターンオンされると、第１ノードＮ１に初期化電源Ｖｉｎｔの電圧が供給される。第７トランジスタＭ７がターンオンされると、第２ノードＮ２に第１電源ＥＬＶＤＤの電圧が供給される。ここで、初期化電源Ｖｉｎｔは、データ信号よりも低い電圧に設定されるため、第１期間Ｔ１中第１トランジスタＭ１は、オンバイアス状態に設定される。すると、第１トランジスタＭ１は、オンバイアス状態に初期化され、それによって表示品質を向上させることができる。
【００６０】
第２期間Ｔ２中には第２制御線ＣＬ２に第２制御信号が供給される。第２制御線ＣＬ２に第２制御信号が供給されると、第３トランジスタＭ３及び第５トランジスタＭ５がターンオンされる。第５トランジスタＭ５がターンオンされると、第１トランジスタＭ１がダイオード形態で接続される。第３トランジスタＭ３がターンオンされると、第２キャパシタＣ２に保存されたデータ信号の電圧が第２ノードＮ２に供給される。この時、第１ノードＮ１の電圧がデータ信号よりも低い初期化電源Ｖｉｎｔの電圧に初期化されているため、第１トランジスタＭ１がターンオンされる。
【００６１】
第１トランジスタＭ１がターンオンされると、第２ノードＮ２に印加されたデータ信号の電圧がダイオードの形態で接続された第１トランジスタＭ１を経由し、第１ノードＮ１に供給される。この時、第１キャパシタＣ１は、データ信号及び第１トランジスタＭ１のしきい値電圧に対応する電圧を保存する。
【００６２】
第３期間Ｔ３中には、発光制御線Ｅに発光制御信号の供給が維持される。
【００６３】
第４期間Ｔ４中には、発光制御線Ｅへの発光制御信号の供給が中断される。
【００６４】
発光制御線Ｅへの発光制御信号の供給が中断されると、第８トランジスタＭ８及び第９トランジスタＭ９がターンオンされる。第８トランジスタＭ８がターンオンされると、第１電源ＥＬＶＤＤと第２ノードＮ２が電気的に接続される。第９トランジスタＭ９がターンオンされると、第４ノードＮ４が有機発光ダイオードＯＬＥＤと電気的に接続される。すると、第１トランジスタＭ１は、第１ノードＮ１に印加される電圧に対応して、第１電源ＥＬＶＤＤから有機発光ダイオードＯＬＥＤを経由して第２電源ＥＬＶＳＳに流れる電流量を制御する。この時、有機発光ダイオードＯＬＥＤは、自身に供給される電流量に対応して所定輝度の光を生成する。
【００６５】
一方、第４期間Ｔ４中に走査線Ｓ１ないしＳｎに走査信号が順次供給される。走査線Ｓ１ないしＳｎに走査信号が順次供給されると、水平ライン単位で画素１４２それぞれに含まれた第２トランジスタＭ２がターンオンされる。第２トランジスタＭ２がターンオンされると、データ線Ｄ１ないしＤｍのうちいずれか一つからの現在データ信号が画素１４２それぞれに含まれた第３ノードＮ３に供給される。この場合、第２キャパシタＣ２は、現在データ信号に対応する電圧を充電する。本発明では、上述した過程を繰り返しつつ、所定の映像を具現する。
【００６６】
図４は、本発明の別の実施形態による駆動方法を示す波形図である。図４を説明するとき、図３と同一の構成について詳細な説明は省略する。図４を参照すると、本発明の別の実施形態による駆動方法の第３期間Ｔ３には、走査線Ｓ１ないしＳｎに走査信号が同時に供給され、走査信号に同期されるように、データ線Ｄ１ないしＤｍにリセット電圧Ｖｒが供給される。
【００６７】
第３期間Ｔ３中に第ｎ走査線Ｓｎに走査信号が供給されると、第２トランジスタＭ２がターンオンされる。第２トランジスタＭ２がターンオンされると、第３ノードＮ３にリセット電圧Ｖｒが供給される。すなわち、第３期間Ｔ３中に画素１４２それぞれに含まれた第３ノードＮ３の電圧はリセット電圧Ｖｒに初期化される。
【００６８】
以後、第４期間Ｔ４中に走査線Ｓ１ないしＳｎに走査信号が順次供給される。第ｎ走査線Ｓｎに走査信号が供給されると、第２トランジスタＭ２がターンオンされる。第２トランジスタＭ２がターンオンされると、データ線Ｄｍからの現在データ信号が第３ノードＮ３に供給される。この場合、第２キャパシタＣ２は、現在データ信号に対応する電圧を充電する。ここで、第３期間Ｔ３中に第３ノードＮ３がリセット電圧Ｖｒに初期化されたため、第４期間Ｔ４中に第２キャパシタＣ２には、現在データ信号に対応して均一な電圧が充電されることができる。
【００６９】
詳しく説明すると、第２期間Ｔ２以後に画素１４２それぞれに含まれた第３ノードＮ３の電圧は、以前データ信号の電圧に対応して設定される。すなわち、画素１４２それぞれに含まれた第３ノードＮ３の電圧は、以前データ信号に対応して互いに異なるように設定される。したがって、第３ノードＮ３の電圧が初期化されない場合、第２キャパシタＣ２に保存される現在データ信号の電圧は、以前データ信号の電圧によって不均一に設定され、これにより、クロストーク現象が発生しうる。
【００７０】
図５は、本発明のさらに別の実施形態による駆動方法を示す波形図である。図５を説明するとき、図４と同一の構成について詳細な説明は省略する。図５を参照すると、本発明のさらに別の実施形態による駆動方法では、第１電源ＥＬＶＤＤの電圧が変化する。すなわち、画素１４２が発光する第４期間Ｔ４中に第１電源ＥＬＶＤＤは、第１電圧ＶＤＤ１に設定され、画素１４２が非発光する第１期間Ｔ１ないし第３期間Ｔ３中に第１電源ＥＬＶＤＤは、第１電圧ＶＤＤ１よりも低い第２電圧ＶＤＤ２に設定される。ここで、第２電圧ＶＤＤ２は、第１期間Ｔ１中に第１トランジスタＭ１がオンバイアス状態に設定される初期化電源Ｖｉｎｔの電圧よりも高い電圧に設定される。
【００７１】
詳しく説明すると、第１電源ＥＬＶＤＤは、第１期間Ｔ１ないし第３期間Ｔ３中に第２電圧ＶＤＤ２に設定される。そして、第１電源ＥＬＶＤＤは、第４期間Ｔ４中に第１電圧ＶＤＤ１に上昇する。
【００７２】
第４期間Ｔ４中に第１電源ＥＬＶＤＤが第１電圧ＶＤＤ１に上昇すると、フローティング状態に設定された第１ノードＮ１の電圧も上昇する。このように第１ノードＮ１の電圧が上昇すると、ブラック表現能力を向上させることができる。
【００７３】
詳しく説明すると、第１キャパシタＣ１は、第２期間Ｔ２中に第２キャパシタＣ２に充電された電圧を利用して充電される。この場合、第１キャパシタＣ１の電圧は、所望の電圧よりも低い電圧に設定され、これによりブラック表現時に有機発光ダイオードＯＬＥＤが微細に発光される恐れがある。従って、本発明のさらに別の実施形態では、第４期間Ｔ４中に第１電源ＥＬＶＤＤおよびこれに対応して第１ノードＮ１の電圧を上昇させてブラック表現時に有機発光ダイオードＯＬＥＤが微細発光することを防止することができる。
【００７４】
図６は、３Ｄ駆動時の駆動周波数の実施形態を示す図である。図６を参照すると、本発明は、発光期間中にデータ信号の供給を受ける。すなわち、画素１４２は、左側（または右側）データ信号に対応する映像を具現する期間中、右側（または左側）データ信号に対応する電圧を保存する。したがって、本発明では、１２０Ｈｚの駆動周波数で３Ｄ映像を具現することができる。図６において、ＲＤは、右側データ信号を意味し、ＬＤは、左側データ信号を意味する。そして、Ｒは右側データ信号に対応した発光を意味し、Ｌは左側データ信号に対応した発光を意味する。
【００７５】
図７は、本発明の第２実施形態による画素を示す図である。図７を説明するとき図２と同一の構成については同一の符号を付けると同時に詳細な説明は省略する。図７を参照すると、本発明の第２実施形態による画素１４２は、画素回路２００と有機発光ダイオードＯＬＥＤとを備える。
【００７６】
画素回路２００は、現在データ信号を保存するための第１駆動部１４６と、以前データ信号に対応して有機発光ダイオードＯＬＥＤに供給される電流量を制御するための第２駆動部２０２とを備える。
【００７７】
第２駆動部２０２は、有機発光ダイオードＯＬＥＤのアノード電極と初期化電源Ｖｉｎｔとの間に接続される第４トランジスタＭ４’を備える。第４トランジスタＭ４’のゲート電極は、第２制御線ＣＬ２に接続される。このような第４トランジスタＭ４’は、第２制御線ＣＬ２に第２制御信号が供給されるときターンオンされて初期化電源Ｖｉｎｔの電圧を有機発光ダイオードＯＬＥＤのアノード電極に供給する。その他の動作過程は、図２に示された本発明の第１実施形態と同様であるため、詳細な説明は省略する。
【００７８】
図８は、本発明の第３実施形態による画素を示す図である。図８を説明するとき図２と同一の構成については同一の符号を付けると同時に詳細な説明は省略する。図８を参照すると、本発明の第３実施形態による画素１４２は、画素回路２１０と有機発光ダイオードＯＬＥＤとを備える。
【００７９】
画素回路２１０は、現在データ信号を保存するための第１駆動部１４６と、以前データ信号に対応して有機発光ダイオードＯＬＥＤに供給される電流量を制御するための第２駆動部２１２とを備える。
【００８０】
第２駆動部２１２は、第１電源ＥＬＶＤＤと第１ノードＮ１との間で、第１キャパシタＣ１と並列に接続されるフォトダイオードＰＤを備える。このようなフォトダイオードＰＤは、有機発光ダイオードＯＬＥＤの輝度に対応して第１電源ＥＬＶＤＤから第１ノードＮ１に供給される電流量、すなわち、第１ノードＮ１の電圧を制御する。実際にフォトダイオードＰＤは、有機発光ダイオードＯＬＥＤの劣化が補償されるように第１ノードＮ１の電圧を制御する。
【００８１】
動作過程を説明すると、第４期間Ｔ４中にフォトダイオードＰＤは、有機発光ダイオードＯＬＥＤの輝度に比例して第１電源ＥＬＶＤＤから第１ノードＮ１に流れる電流、すなわち、第１ノードＮ１の電圧上昇量を制御する。言い換えれば、フォトダイオードＰＤは、有機発光ダイオードＯＬＥＤの輝度が高いほど、第１ノードＮ１の電圧が高くなるように制御する。
【００８２】
詳しく説明すると、有機発光ダイオードＯＬＥＤは劣化するほど、同一階調に対応して低輝度の光を生成する。従って、有機発光ダイオードＯＬＥＤの劣化に対応してフォトダイオードＰＤによる第１ノードＮ１の電圧変化量が異なる。すなわち、図９に示したように、同一階調のデータ信号が供給されてもフォトダイオードＰＤによって第１ノードＮ１の電圧上昇幅が異なるように設定される。
【００８３】
有機発光ダイオードＯＬＥＤが特定の階調ｊ（ｊは自然数）に対応して発光する場合、有機発光ダイオードＯＬＥＤの劣化した場合、そうでない場合に比べて第１ノードＮ１の電圧上昇幅が第１電圧Ｖ１ほど低く設定される。すなわち、本発明では、有機発光ダイオードＯＬＥＤが劣化するほど、第１ノードＮ１の電圧上昇幅が低く設定され、これにより、有機発光ダイオードＯＬＥＤの劣化による輝度低下を補償することができる。実際に、本発明の有機発光ダイオードＯＬＥＤに供給される電流量は、式１のように表現することができる。
【００８４】
【数１】
2018173646.tif 000003
【００８５】
式１において、μは第１トランジスタＭ１の移動度、Ｃｏｘは第１トランジスタＭ１のゲートキャパシタンス、Ｖｔｈは第１トランジスタＭ１のしきい値電圧、ＷおよびＬは、第１トランジスタＭ１のチャンネルｗｉｄｔｈ／ｌｅｎｇｔｈ比を示す。そして、Ｖｄａｔａはデータ信号の電圧、ΔＶｐｄはフォトダイオードＰＤによる電圧変化量を示す。
【００８６】
式１を参照すると、有機発光ダイオードＯＬＥＤに供給される電流量は、データ信号の電圧およびフォトダイオードＰＤによる電圧変化量によって決定される。ここで、フォトダイオードＰＤによる電圧の変化量は、有機発光ダイオードＯＬＥＤが劣化するほど第１ノードＮ１の電圧上昇幅が低く設定され、これにより、有機発光ダイオードＯＬＥＤによる輝度低下が補償される。
【００８７】
このような本発明の第３実施形態による画素１４２は、フォトダイオードＰＤが追加され、有機発光ダイオードＯＬＥＤの劣化が補償されるだけで、それ以外の動作過程は、図２に示された本発明の第１実施形態と同様である。実際に、本発明の第３実施形態による画素１４２は、図３ないし図５に示された駆動波形で駆動可能である。
【００８８】
図１０は、本発明の第４実施形態による画素を示す図である。図１０を説明する際に、図７と同じ構成については同一の符号を割り当てることと併せて詳細な説明は省略する。図１０を参照すると、本発明の第４実施形態による画素１４２は、画素回路２２０と、有機発光ダイオードＯＬＥＤとを備える。
【００８９】
画素回路２２０は、現在データ信号を保存するための第１駆動部１４６と、以前データ信号に対応して有機発光ダイオードＯＬＥＤに供給される電流量を制御するための第２駆動部２２２とを備える。
【００９０】
第２駆動部２２２は、第１電源ＥＬＶＤＤと第１ノードＮ１との間で、第１キャパシタＣ１と並列に接続されるフォトダイオードＰＤを備える。このようなフォトダイオードＰＤは、有機発光ダイオードＯＬＥＤの輝度に対応して、第１電源ＥＬＶＤＤから第１ノードＮ１に供給される電流量、すなわち、第１ノードＮ１の電圧を制御する。実際に、フォトダイオードＰＤは、有機発光ダイオードＯＬＥＤの劣化が補償されるように、第１ノードＮ１の電圧を制御する。
【００９１】
図１１は、本発明の第５実施形態による画素を示す図である。図１１を説明するとき、図７と同一の構成については同一の符号を付けると同時に詳細な説明は省略する。図１１を参照すると、本発明の第５実施形態による画素１４２は、画素回路２３０と有機発光ダイオードＯＬＥＤとを備える。
【００９２】
画素回路２３０は、現在データ信号を保存するための第１駆動部１４６と、以前データ信号に対応して有機発光ダイオードＯＬＥＤに供給される電流量を制御するための第２駆動部２３２とを備える。
【００９３】
第２駆動部２３２は、第２ノードＮ２と有機発光ダイオードＯＬＥＤのアノード電極との間に接続される第３キャパシタＣ３を備える。このような第３キャパシタＣ３は、有機発光ダイオードＯＬＥＤのアノード電極電圧に対応して、第２ノードＮ２の電圧を制御する。一例として、第３キャパシタＣ３は有機発光ダイオードＯＬＥＤの劣化が補償されるように、第２ノードＮ２の電圧を制御する。
【００９４】
本発明の第５実施形態による画素１４２は、図３ないし図５のいずれか一つの駆動波形で駆動することができる。
【００９５】
図３の駆動波形と結びつけて動作過程を説明すると、第１期間Ｔ１ないし第３期間Ｔ３中に発光制御線Ｅに発光制御信号が供給され、第４期間Ｔ４中に発光制御線Ｅに発光制御信号が供給されない。発光制御線Ｅに発光制御信号が供給されると、第８トランジスタＭ８及び第９トランジスタＭ９がターンオフされる。すると、第１トランジスタＭ１と有機発光ダイオードＯＬＥＤの電気的接続が遮断され、これにより、第１期間Ｔ１ないし第３期間Ｔ３中に有機発光ダイオードＯＬＥＤは、非発光状態に設定される。一方、第９トランジスタＭ９がターンオフされると、有機発光ダイオードＯＬＥＤのアノード電極は、所定の電圧Ｖｏｌｅｄに設定される。
【００９６】
第１期間Ｔ１中に第１制御線ＣＬ１に第１制御信号が供給され、第６トランジスタＭ６および第７トランジスタＭ７がターンオンされる。第６トランジスタＭ６がターンオンされると、第１ノードＮ１に初期化電源Ｖｉｎｔの電圧が供給される。第７トランジスタＭ７がターンオンされると、第２ノードＮ２に第１電源ＥＬＶＤＤの電圧が供給される。この時、第１トランジスタＭ１は、オンバイアス状態に初期化される。
【００９７】
第２期間Ｔ２中に第２制御線ＣＬ２に第２制御信号が供給される。第２制御線ＣＬ２に第２制御信号が供給されると、第３トランジスタＭ３、第４トランジスタＭ４’及び第５トランジスタＭ５がターンオンされる。第５トランジスタＭ５がターンオンされると、第１トランジスタＭ１がダイオード形態で接続される。第３トランジスタＭ３がターンオンされると、第２キャパシタＣ２に保存されたデータ信号の電圧が第２ノードＮ２に供給される。第４トランジスタＭ４がターンオンされると、有機発光ダイオードＯＬＥＤのアノード電極の電圧Ｖｏｌｅｄが初期化電源Ｖｉｎｔの電圧に下降する。この時、第３キャパシタＣ３のカップリングによって有機発光ダイオードＯＬＥＤのアノード電極の電圧下降幅に対応して第２ノードＮ２の電圧が下降する。
【００９８】
一方、第２ノードＮ２に、以前データ信号の電圧が供給されると、第１トランジスタＭ１がターンオンされる。第１トランジスタＭ１がターンオンされると、第２ノードＮ２に印加された電圧がダイオード形態で接続された第１トランジスタＭ１を経由して第１ノードＮ１に供給される。この時、第１キャパシタＣ１は、以前データ信号、第１トランジスタＭ１のしきい値電圧及び有機発光ダイオードＯＬＥＤの劣化に対応する電圧を保存する。
【００９９】
詳しく説明すると、第４トランジスタＭ４がターンオンされると、有機発光ダイオードＯＬＥＤのアノード電極の電圧は、式２のように変化される。
【０１００】
【数２】
2018173646.tif 000004
【０１０１】
式２においてＶｏｌｅｄは、第１期間Ｔ１中に印加された有機発光ダイオードＯＬＥＤのアノード電極の電圧を意味する。式２を参照すると、第２期間Ｔ２中に有機発光ダイオードＯＬＥＤのアノード電圧は、第１期間Ｔ１中に印加された電圧Ｖｏｌｅｄから初期化電源Ｖｉｎｔの電圧に下降する。この場合、有機発光ダイオードＯＬＥＤのアノード電極の電圧変化量ΔＶｏｌｅｄは、有機発光ダイオードＯＬＥＤの劣化によって決定される。実際に、有機発光ダイオードＯＬＥＤは劣化するほど抵抗値が上昇し、これにより、有機発光ダイオードＯＬＥＤが劣化するほど電圧変化量ΔＶｏｌｅｄが増加する。
【０１０２】
詳しく説明すると、有機発光ダイオードＯＬＥＤは、劣化に対応して抵抗が増加する。有機発光ダイオードＯＬＥＤの抵抗が増加すると、第１期間Ｔ１に印加される有機発光ダイオードＯＬＥＤのアノード電極の電圧Ｖｏｌｅｄが上昇する。従って、有機発光ダイオードＯＬＥＤが劣化するほど、第２ノードＮ２の電圧下降幅が増加し、それに応じて有機発光ダイオードＯＬＥＤの劣化を補償することができる。言いかえれば、第２ノードＮ２の電圧が下降すると、第１ノードＮ１の電圧も下降し、これにより、有機発光ダイオードＯＬＥＤが劣化するほど、有機発光ダイオードＯＬＥＤに供給される電流量が増加されて劣化を補償することができる。
【０１０３】
第３期間Ｔ３中には発光制御線Ｅに発光制御信号の供給が維持される。第４期間Ｔ４中に発光制御線Ｅへの発光制御信号の供給が中断され、第８トランジスタＭ８及び第９トランジスタＭ９がターンオンされる。第８トランジスタＭ８がターンオンされると、第１電源ＥＬＶＤＤと第２ノードＮ２が電気的に接続される。第９トランジスタＭ９がターンオンされると、第４ノードＮ４と、有機発光ダイオードＯＬＥＤのアノード電極が電気的に接続される。すると、第１トランジスタＭ１は、第１ノードＮ１に印加された電圧に対応して、第１電源ＥＬＶＤＤから有機発光ダイオードＯＬＥＤを経由して第２電源ＥＬＶＳＳに流れる電流量を制御する。この時、有機発光ダイオードＯＬＥＤは、自身に供給される電流量に対応して所定輝度の光を生成する。
【０１０４】
一方、第４期間Ｔ４中に走査線Ｓ１ないしＳｎに走査信号が順次供給される。走査線Ｓ１ないしＳｎに走査信号が順次供給されると、水平ライン単位で画素１４２それぞれに含まれた第２トランジスタＭ２がターンオンされる。第２トランジスタＭ２がターンオンされると、データ線Ｄ１ないしＤｍのいずれか一つからの現在データ信号が画素１４２それぞれに含まれた第３ノードＮ３に供給される。この場合、第２キャパシタＣ２は、現在データ信号に対応する電圧を充電する。実際に、本発明では、上述した過程を繰り返しながら所定の映像を具現する。
【０１０５】
図１２は、本発明の第６実施形態による画素を示す図である。図１２を説明する際に、図１１と同一の構成については同一の符号を付けると同時に詳細な説明は省略する。図１２を参照すると、本発明の第６実施形態による画素１４２は画素回路２４０と有機発光ダイオードＯＬＥＤを備える。
【０１０６】
画素回路２４０は、現在データ信号を保存するための第１駆動部１４６と、以前データ信号に対応して有機発光ダイオードＯＬＥＤに供給される電流量を制御するための第２駆動部２４２を備える。
【０１０７】
第２駆動部２４２は、第２制御線ＣＬ２と有機発光ダイオードＯＬＥＤとの間に接続される第４トランジスタＭ４’’を備える。第４トランジスタＭ４’’のゲート電極は、第２制御線ＣＬ２に接続される。すなわち、第４トランジスタＭ４’’は、ダイオード形態で接続される。このような第４トランジスタＭ４’’は、第２制御線ＣＬ２に第２制御信号が供給されるとき、有機発光ダイオードＯＬＥＤのアノード電極の電圧を第２制御信号の電圧に下降させる。すなわち、本発明の第６実施形態では、第２期間Ｔ２中に有機発光ダイオードＯＬＥＤのアノード電極の電圧Ｖｏｌｅｄを初期化電源Ｖｉｎｔの代わりに第２制御信号の電圧に下降させるだけで、実質的に動作過程は、図１１に示された本発明の第５の実施形態と同様である。したがって、詳細な説明は省略する。
【０１０８】
なお、上述した本発明では、説明の便宜のためにトランジスタをＰＭＯＳで示したが、本発明はこれに限定されない。言いかえれば、トランジスタはＮＭＯＳで形成することもできる。
【０１０９】
また、本発明では、有機発光ダイオードＯＬＥＤは電流量に対応して赤、緑または青の光を生成するか、白色光を生成することができる。有機発光ダイオードＯＬＥＤが白色光を生成する場合は、別途のカラーフィルターなどを利用してカラー映像を具現することができる。
【０１１０】
以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能なのはもちろんであり、斯かる変形や変更が、本発明の範囲に含まれることは言うまでもない。
【符号の説明】
【０１１１】
１１０    走査駆動部
１２０    制御駆動部
１３０    データ駆動部
１４０    画素部
１４２    画素
１４４、２００、２１０、２２０、２３０、２４０    画素回路
１４６、１４８、２０２、２１２、２２２、２３２、２４２    駆動部
１５０    タイミング制御部
【図１】
2018173646.tif 000005
【図２】
2018173646.tif 000006
【図３】
2018173646.tif 000007
【図４】
2018173646.tif 000008
【図５】
2018173646.tif 000009
【図６】
2018173646.tif 000010
【図７】
2018173646.tif 000011
【図８】
2018173646.tif 000012
【図９】
2018173646.tif 000013
【図１０】
2018173646.tif 000014
【図１１】
2018173646.tif 000015
【図１２】
2018173646.tif 000016